【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取部と、前記画像読取部の読取結果に基づいて記録媒体に画像を形成する処理が可能な画像形成部と、タッチパネルを有する操作部と、を備えた画像形成装置にオプション装置として装着可能な入力装置であって、
０〜９の数値情報をそれぞれ入力するための複数の数値キーが電話型の配列でハードウェアキーとして配置された数値キー部と、
前記入力装置を正面視した場合に、１の数値キー、４の数値キーおよび７の数値キーの配列方向において、前記数値キー部に対して前記１の数値キーよりも前記７の数値キーに近い位置であって、前記７の数値キー、８の数値キーおよび９の数値キーの配列方向において前記数値キー部が設けられる領域と重なる位置に配置され、前記処理の開始を指示するためのハードウェアキーとしての実行キーと、を備える、
ことを特徴とする入力装置。
【請求項２】
前記実行キーは、前記入力装置を正面視した場合に、前記数値キー部の前記ハードウェアキーより大きい、
ことを特徴とする請求項１に記載の入力装置。
【請求項３】
前記実行キーは、前記画像形成装置からの信号により発光可能なスタート発光部を有する、
ことを特徴とする請求項１又は２に記載の入力装置。
【請求項４】
前記実行キーによって開始された処理を停止する情報を入力可能なハードウェアキーとしてのストップキーを備え、
前記ストップキーは、前記入力装置を正面視した場合に、前記１の数値キー、前記４の数値キーおよび前記７の数値キーの配列方向において前記１の数値キーよりも前記７の数値キーに近い位置であって、前記７の数値キー、前記８の数値キーおよび前記９の数値キーの配列方向において前記数値キー部が設けられる領域と重なる位置に配置されている、
ことを特徴とする請求項１乃至３のいずれか１項に記載の入力装置。
【請求項５】
前記ストップキーは、前記入力装置を正面視した場合に、前記数値キー部の前記ハードウェアキーより大きい、
ことを特徴とする請求項４に記載の入力装置。
【請求項６】
前記ストップキーは、前記入力装置を正面視した場合に、前記実行キーに隣接した位置に配置されている、
ことを特徴とする請求項４又は５に記載の入力装置。
【請求項７】
前記画像形成装置の入力モードを音声入力モードに設定する情報を入力可能なハードウェアキーとしての設定キーを備え、
前記設定キーは、前記入力装置を正面視した場合に、前記１の数値キー、前記４の数値キーおよび前記７の数値キーの配列方向において前記７の数値キーよりも前記１の数値キーに近い位置であって、前記７の数値キー、前記８の数値キーおよび前記９の数値キーの配列方向において前記数値キー部が設けられる領域と重なる位置に配置されている、
ことを特徴とする請求項１乃至６のいずれか１項に記載の入力装置。
【請求項８】
前記入力装置を正面視した場合に、前記設定キーに関する情報を示す点字が前記設定キーに隣接した位置に設けられる、
ことを特徴とする請求項７に記載の入力装置。
【請求項９】
前記点字は、前記設定キーに関する情報を示す一文字である、
ことを特徴とする請求項８に記載の入力装置。
【請求項１０】
前記設定キーは、前記画像形成装置からの信号により発光可能な設定発光部を有する、
ことを特徴とする請求項７乃至９のいずれか１項に記載の入力装置。
【請求項１１】
前記画像形成装置に入力した設定をリセットする情報を入力可能なハードウェアキーとしてのリセットキーを備え、
前記リセットキーは、前記入力装置を正面視した場合に、前記１の数値キー、前記４の数値キーおよび前記７の数値キーの配列方向において前記１の数値キーよりも前記７の数値キーに近い位置であって、前記７の数値キー、前記８の数値キーおよび前記９の数値キーの配列方向において前記数値キー部が設けられる領域と重なる位置に配置されている、
ことを特徴とする請求項１乃至１０のいずれか１項に記載の入力装置。
【請求項１２】
前記数値キー部により前記画像形成装置に入力された数値をクリアする情報を入力可能なハードウェアキーとしてのクリアキーを備え、
前記クリアキーは、前記入力装置を正面視した場合に、前記１の数値キー、前記４の数値キーおよび前記７の数値キーの配列方向において前記１の数値キーよりも前記７の数値キーに近い位置であって、前記７の数値キー、前記８の数値キーおよび前記９の数値キーの配列方向において前記数値キー部が設けられる領域と重なる位置に配置されている、
ことを特徴とする請求項１乃至１１のいずれか１項に記載の入力装置。
【請求項１３】
前記画像形成装置に固定される筐体と、
前記筐体に設けられ、前記画像形成装置と電気的に接続可能な接続部と、をさらに備える、
ことを特徴とする請求項１乃至１２のいずれか１項に記載の入力装置。
【請求項１４】
＃を入力可能な入力キーをさらに備え、当該入力キーは、前記１の数値キー、前記４の数値キーおよび前記７の数値キーの配列方向において前記数値キー部と重なる位置であって、０の数値キーに隣接した位置に配置されている、
ことを特徴とする請求項１乃至１３のいずれか１項に記載の入力装置。
【請求項１５】
前記数値キー部のうち５の数値キーは、上面に凸部が設けられている、
ことを特徴とする請求項１乃至１４のいずれか１項に記載の入力装置。
【請求項１６】
前記実行キーは、前記７の数値キー、前記８の数値キーおよび前記９の数値キーの配列方向において前記９の数値キーよりも前記７の数値キーに近い位置に配置されている、
ことを特徴とする請求項１乃至１５のいずれか１項に記載の入力装置。
【請求項１７】
前記実行キーは、前記画像形成装置に設けられるファクシミリを送受信可能なファクシミリ通信部に対して、前記画像読取部によって読み取った画像データのファクシミリの送信の開始を指示するためのハードウェアキーである、
ことを特徴とする請求項１乃至１６のいずれか１項に記載の入力装置。
【請求項１８】
請求項１乃至１７のいずれか１項に記載の入力装置と、
原稿の画像を読み取る前記画像読取部と、
前記画像読取部の読取結果に基づいて記録媒体に画像を形成する処理が可能な前記画像形成部と、
前記画像形成部を内部に有する装置本体と、
前記タッチパネルを有し、前記装置本体に対して回動可能な前記操作部と、を備える、
ことを特徴とする画像形成装置。
【請求項１９】
前記タッチパネルは、ソフトウェアキーとして前記画像読取部に対して画像読取の開始を指示するためのソフトウェア実行キーを表示可能である、
ことを特徴とする請求項１８に記載の画像形成装置。
【請求項２０】
前記タッチパネルは、前記画像形成装置の左右方向において前記入力装置に近い位置に、前記ソフトウェア実行キーを表示可能である、
ことを特徴とする請求項１９に記載の画像形成装置。
【請求項２１】
前記タッチパネルは、ソフトウェアキーとして０〜９の数値情報をそれぞれ入力するためのソフトウェア数値キー部を表示可能である、
ことを特徴とする請求項１８乃至２０のいずれか１項に記載の画像形成装置。
【請求項２２】
前記タッチパネルは、ソフトウェアキーとして０〜９の数値情報をそれぞれ入力するためのソフトウェア数値キー部を表示可能であり、
１のソフトウェア数値キー、４のソフトウェア数値キーおよび７のソフトウェア数値キーの配列方向において、前記ソフトウェア数値キー部に対して前記１のソフトウェア数値キーよりも前記７のソフトウェア数値キーに近い位置であって、前記７のソフトウェア数値キー、８のソフトウェア数値キーおよび９のソフトウェア数値キーの配列方向において前記ソフトウェア数値キー部が設けられる領域と重なる位置に前記ソフトウェア実行キーを表示可能である、
ことを特徴とする請求項１９又は２０に記載の画像形成装置。
【請求項２３】
前記タッチパネルは、前記画像形成装置の左右方向において前記入力装置に近い位置に、前記ソフトウェア数値キー部を表示可能である、
ことを特徴とする請求項２１又は２２に記載の画像形成装置。
【請求項２４】
ファクシミリを送受信可能なファクシミリ通信部をさらに備え、
前記ファクシミリ通信部は、前記実行キーが押下されることに応じて前記画像読取部によって読み取った画像データのファクシミリの送信を開始する、
ことを特徴とする請求項１８乃至２３のいずれか１項に記載の画像形成装置。
【請求項２５】
前記操作部は、前記画像形成装置の左右方向において、前記画像形成装置の中心よりも右側に設けられ、
前記入力装置は、前記左右方向において前記操作部よりも右側に設けられる、
ことを特徴とする請求項１８乃至２４のいずれか１項に記載の画像形成装置。
【請求項２６】
前記画像形成部によって画像が形成された記録媒体を排出する排出部をさらに備え、
前記操作部は、鉛直方向において前記排出部よりも上方に設けられ、
前記入力装置は、前記鉛直方向において前記排出部よりも上方に装着される、
ことを特徴とする請求項１８乃至２５のいずれか１項に記載の画像形成装置。
【手続補正２】
【補正対象書類名】明細書
【補正対象項目名】０００７
【補正方法】変更
【補正の内容】
【０００７】
本発明の入力装置は、原稿の画像を読み取る画像読取部と、前記画像読取部の読取結果に基づいて記録媒体に画像を形成する処理が可能な画像形成部と、タッチパネルを有する操作部と、を備えた画像形成装置にオプション装置として装着可能な入力装置であって、０〜９の数値情報をそれぞれ入力するための複数の数値キーが電話型の配列でハードウェアキーとして配置された数値キー部と、前記入力装置を正面視した場合に、１の数値キー、４の数値キーおよび７の数値キーの配列方向において、前記数値キー部に対して前記１の数値キーよりも前記７の数値キーに近い位置であって、前記７の数値キー、８の数値キーおよび９の数値キーの配列方向において前記数値キー部が設けられる領域と重なる位置に配置され、前記処理の開始を指示するためのハードウェアキーとしての実行キーと、を備えることを特徴とする。
【手続補正３】
【補正対象書類名】明細書
【補正対象項目名】０００８
【補正方法】変更
【補正の内容】
【０００８】
また、本発明の画像形成装置は、上記の入力装置と、原稿の画像を読み取る前記画像読取部と、前記画像読取部の読取結果に基づいて記録媒体に画像を形成する処理が可能な前記画像形成部と、前記画像形成部を内部に有する装置本体と、前記タッチパネルを有し、前記装置本体に対して回動可能な前記操作部と、を備えることを特徴とする。